(57)【特許請求の範囲】
【請求項１】
衣服の腹部表面に平板状の滑り止めパッドを備えると共に、前記滑り止めパッドに荷物の下面を引っ掛けるための迫出し部を備え、前記迫出し部は、ブロックが間隔をあけて列設してなることを特徴とすることを特徴とする作業着。
【請求項２】
前記迫出し部の各ブロックは、それらの上面又は側面で凹凸が生じる段差を設けて設定することを特徴とする前記請求項１に記載の作業着。
【発明の詳細な説明】
【技術分野】
【０００１】
本発明は、作業着に関するものであり、特に荷物の運搬に適した構造を備えた作業着に関する。
【背景技術】
【０００２】
今日、種々の荷物運送機器が提供されてはいるものの、小荷物運送の際、又は作業場において物品を移動させる際に、人手による運搬作業は欠かせないのが実情であるところ、運搬すべきものの重量や形状が許す場合には、いったん差し上げたものは出来る限り胴体で支え、移動の際は手や腕にかかる負担を軽減したいという希望が少なくない。
【０００３】
従来は、荷物を背負う作業に対して、背中や肩にかかる荷重による負担を軽減するために、発泡スチロール等を内装したパッド等のショックアブソーバを、肩ヨーク部と前胸部付近にかけて付設した衣服（例えば、下記特許文献１参照。）が紹介されている。
【０００４】
【特許文献１】登録実用新案公報第３０５３２１９号
【発明の開示】
【発明が解決しようとする課題】
【０００５】
しかしながら、荷物を背負うまでに至る過程で手や腕の負担が大きく、また、必ずしも背負う必要の無いものを抱えて運搬する場合に対しては、依然として手や腕の負担軽減の助けにはなっていない。
【０００６】
本発明は、上記実情に鑑みて為されたものであって、荷物を運搬する際に手や腕の負担を軽減できる作業服の提供を目的とする。
【課題を解決するための手段】
【０００７】
上記課題を解決する為になされた本発明による作業着は、衣服の腹部表面に滑り止めパッドを備えることを特徴とする。前記滑り止めパッドには、必要に応じて迫出し部を設けることもでき、作業着の着用の際、滑り止めパッド及び迫出し部が胴体にフィットし易いように、複数に分割された迫出し部を備える作業着としても良い。
【発明の効果】
【０００８】
衣服の腹部に滑り止めパッドを備えることにより、荷物を当該パッドに押し当てて荷物を腹部で支えることによって、落下方向への荷重を軽減することができる。迫出し部を設ければ、荷物をパッドに押し付ける力も軽減でき、手や腕の負担が軽減される結果、運搬する荷物によっては、片手が空くことによって扉の開閉も可能となる場合がある他、双方の手を交代で休ませることもできる。また、背負う際における荷物の停留位置として用いることもできるので、肩の位置に差し上げるまでの手や腕の負担も軽減される。
【発明を実施するための最良の形態】
【０００９】
以下、本発明による作業着の実施の形態を図面に基づき詳細に説明する。
図１に示す例は、前見ごろ、後見ごろ、及びヨーク部から縫製されたＶネックの袖が無い上着の例であって、前身ごろの上部をボタンで開閉出来る構造としたものである。
【００１０】
前記左右前見ごろは、その胸部及び腹部にポケットをそれぞれ左右対称に備え、左右前身ごろの表下部（例えば、ベルトライン等。）には、それらの全幅に亘って一連の（分離していても良い。）滑り止めパッド１がリベット２で固定されている。
当該例における滑り止めパッド１は、ゴム製（弾力性と変形性を兼ね備え、且つ表面に滑り止め性を備えた性状を持つものであれば他の素材でも良い。）の平板であって、必要に応じて表面に、直線的（図６（Ａ）参照。）、若しくは曲線的、又は水玉状（図６（Ｂ）参照。）の凸部３を形成する。
【００１１】
平板の厚みは、その素材の応じて異なるものの、定常状態では平坦な状態に復帰しようとするが、人が着用した際に胴の腹部曲線に倣って湾曲する程度の硬直性を持ち、且つ物のエッジを当てるとその加重に応じて凹みつつ当該エッジを包み込み、且つ湾曲する程度の柔軟さを持つ厚みであって、少なくとも、運搬すべきもののエッジが直接的に運搬者の腹部に苦痛を与えない程度の厚みを有することが望ましい。具体的には、当該滑り止めパッド１自体の重量をも考慮すれば、約５ｍｍから約１０ｍｍ程度が実用に適していると考えられる（図１乃至図３参照。）。
【００１２】
上記の如く、前記滑り止めパッド１は、表面の滑り止め性と加圧による変形とが相俟って荷物のエッジを把持する効果を奏すると共に、当該荷物のエッジを受け止めつつも運搬者の胴体を荷物の加重から保護する効果を奏する。
【００１３】
腹部での荷物の支持を更に確実にするには、前記滑り止めパッド１の表面に荷物の下面を引っ掛けるための迫出し部４を設ける。
【００１４】
当該迫出し部４は、例えば、後記ブロック５の列設によるものを、前記滑り止めパッド１と一体成形しても良いし（図４参照）、別途設ける場合には、前記滑り止めパッド１に、リベット又はボルト６で定着することもできる（図１乃至図３及び図５参照。）。尚、リベットやボルト６の定着部材を用いる場合には、当該定着部材が運搬する荷物に干渉して表面を傷つけることの無いように、迫出し部４に、ボルトの頭部等が納まる座穴７を設け、それらの頭部が迫出し部４の弾性に応じて干渉しない程度の深さに埋没する構造を採用することが望ましい。
【００１５】
前記迫出し部４は、運搬者の胴に倣って湾曲した前記滑り止めパッド１に倣って、当該迫出し部４が更に湾曲した場合に、当該迫出し部４と荷物との間に滑りが生じることの無いように、加えて、作業着の着用の際、滑り止めパッド１及び迫出し部４が胴体にフィットし易いように、複数に分割され、又は間欠的、若しくは散設的に略水平な一定のラインに倣って取り付けられた迫出し部４を備える構造とすることが望ましい。
【００１６】
例えば、図１（Ａ）に示す例にあっては、直方体状（上面若しくは下面にスロープを形成した三角柱状でも良い。）のブロック５が間隔をあけて直線的に列設されている。このように、各ブロック５のサイズは均一であり、突出長や設定位置は、等しい突出長を以って水平方向に直線的に設定することを基本とするが、当該作業着の着用による前記迫出し部４の湾曲が生じたとしても、荷物との接点や引っ掛かり点をより多く確保する上では、停留の目的を達成し得る程度の凹凸が生じる程度の段差を設けることが望ましく、その結果、各ブロックの形態や大きさも相互に異なる場合がある（図１及び図３参照。）。
【００１７】
また、その凹凸を支点として利用し、運搬者の腹部において荷物を操作し、安定支持する際にも便宜となる。また、図１に示す様な、袖なしタイプであれば、小荷物の運搬作業時にのみ、通常の作業着に重ねて着ることができることから、作業着の汚れや、着膨れによる動作の緩慢さや体温上昇など、作業への支障を回避することができる。
【００１８】
もっとも、長袖のタイプや前掛け式を採用するなど、作業着の形態が用途に応じて適宜設計し得ることは言うまでも無い。前記前掛け式の例としては、図７に示す様に、頭からすっぽり被るタイプのものであって、胴回りに定着するベルト部８の端部に、相互にくっつき合う面ファスナー等の可変長連結部９を設けた物が挙げられる。
【産業上の利用可能性】
【００１９】
小荷物の運搬は、小荷物宅配業のような輸送業に限らず、多様な産業において少なからず行なわれる作業であることから、本発明による作業着は、当然に幅広い産業に利用できる事となる。
【図面の簡単な説明】
【００２０】
【図１（Ａ）（Ｂ）（Ｃ）】本発明による作業着の一例を示す正面図、及びそれに用いられる滑り止めパッドの例を示す正面図及び横断面図である。
【図２（Ａ）（Ｂ）（Ｃ）】本発明による作業着の滑り止めパッドの例を示す正面図及び横断面図である。
【図３（Ａ）（Ｂ）（Ｃ）】本発明による作業着の滑り止めパッドの例を示す正面図及び横断面図である。
【図４（Ａ）（Ｂ）】本発明による作業着の滑り止めパッドの例を示す正面図及び側面図である。
【図５（Ａ）（Ｂ）】本発明による作業着の滑り止めパッドの例を示す正面図及び側面図である。
【図６（Ａ）（Ｂ）】本発明による作業着の滑り止めパッドの例を示す正面図である。
【図７（Ａ）（Ｂ）】本発明による作業着の一例を示す正面図である。
【符号の説明】
【００２１】
１  滑り止めパッド，２  リベット，３  凸部，４  迫出し部，５  ブロック，
６  ボルト，７  座穴，８  ベルト部，９  連結部，
【図１（Ａ）（Ｂ）（Ｃ）】
0004919981.tif 000002
【図２（Ａ）（Ｂ）（Ｃ）】
0004919981.tif 000003
【図３（Ａ）（Ｂ）（Ｃ）】
0004919981.tif 000004
【図４（Ａ）（Ｂ）】
0004919981.tif 000005
【図５（Ａ）（Ｂ）】
0004919981.tif 000006
【図６（Ａ）（Ｂ）】
0004919981.tif 000007
【図７（Ａ）（Ｂ）】
0004919981.tif 000008